【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
互いに重複する重複領域を含んだ２つ以上の映像について、前記重複領域を示す重複領域情報を生成する生成手段と、
前記２つ以上の映像を連結した映像を生成する他の装置に対して、前記２つ以上の映像のそれぞれを取得するための取得情報と前記重複領域情報とが記述された情報を送信する送信手段と、
を有することを特徴とする情報処理装置。
【請求項２】
前記取得情報と前記重複領域情報とが記述された情報は、ＭＰＥＧ−ＤＡＳＨ（Ｍｏｖｉｎｇ  Ｐｉｃｔｕｒｅ  Ｅｘｐｅｒｔｓ  Ｇｒｏｕｐ  −  Ｄｙｎａｍｉｃ  Ａｄａｐｔｉｖｅ  Ｓｔｒｅａｍｉｎｇ  ｏｖｅｒ  ＨＴＴＰ）規格のＭＰＤ（Ｍｅｄｉａ  Ｐｒｅｓｅｎｔａｔｉｏｎ  Ｄｅｓｃｒｉｐｔｉｏｎ）の形式で送信される、
ことを特徴とする請求項１に記載の情報処理装置。
【請求項３】
前記情報処理装置は、前記他の装置から、当該他の装置が表示させる視界を指定する情報を取得する取得手段と、
前記取得手段によって取得された情報に基づいて、それぞれ異なるカメラで撮影された映像の中から、前記取得情報を記述すべき前記２つ以上の映像を特定する特定手段と、
をさらに有することを特徴とする請求項１又は２に記載の情報処理装置。
【請求項４】
前記特定手段は、前記取得手段によって取得された情報に加えて前記カメラの位置にさらに基づいて、前記取得情報を記述すべき前記２つ以上の映像を特定する、
ことを特徴とする請求項３に記載の情報処理装置。
【請求項５】
複数の映像のそれぞれについて、前記重複領域を解析する解析手段をさらに有する、
ことを特徴とする請求項１から４のいずれか１項に記載の情報処理装置。
【請求項６】
前記解析手段による解析の結果を記憶する記憶手段をさらに有し、
前記生成手段は、前記他の装置が前記２つ以上の映像を取得する場合に、前記記憶手段に記憶された情報から、当該２つ以上の映像についての前記解析の結果を取得して、前記重複領域情報を生成する、
ことを特徴とする請求項５に記載の情報処理装置。
【請求項７】
前記重複領域情報は、前記重複領域の形状が矩形である場合と矩形でない場合とで、異なる形式で前記重複領域を表現する、
ことを特徴とする請求項１から６のいずれか１項に記載の情報処理装置。
【請求項８】
前記生成手段は、前記２つ以上の映像を連結した映像における前記重複領域に対応する領域の画素値の特定に当該２つ以上の映像のうちのいずれの画素値が優先して用いられるべきかを示す優先度の情報であって、優先して用いられるべきであるほど高い値を示す優先度の情報を含めて、前記重複領域情報を生成する、
ことを特徴とする請求項１から７のいずれか１項に記載の情報処理装置。
【請求項９】
前記生成手段は、前記２つ以上の映像を連結した映像における前記重複領域に対応する領域の画素値の特定に当該２つ以上の映像のうちのいずれの画素値が優先して用いられるべきかを示す優先度の情報であって、優先して用いられるべきであるほど高い値を示す優先度に応じて、前記優先度の高い１つの映像については前記重複領域情報を生成せず、前記優先度の低い他の映像について前記重複領域情報を生成する、
ことを特徴とする請求項１から７のいずれか１項に記載の情報処理装置。
【請求項１０】
前記優先度は、
符号量が大きい映像ほど、又は、
映像内のオブジェクトの動きが大きい映像ほど、又は、
より多くの他の映像との間で重複領域を有するほど、又は、
前記他の装置においてデータの取得又は復号が早く完了する映像ほど、又は、
連結した映像における中心に近い映像ほど、
高く設定される、
ことを特徴とする請求項８又は９に記載の情報処理装置。
【請求項１１】
互いに重複する重複領域を含んだ２つ以上の映像について、前記２つ以上の映像のそれぞれを取得するための取得情報と前記重複領域を示す重複領域情報とが記述された情報を他の装置から取得する取得手段と、
前記取得情報に基づいて取得された前記２つ以上の映像と前記重複領域情報とに基づいて、前記２つ以上の映像を連結した映像を生成する生成手段と、
前記生成された映像を表示手段に表示させる制御を行う制御手段と、
を有することを特徴とする表示制御装置。
【請求項１２】
前記重複領域情報と前記取得情報とが記述された情報は、ＭＰＥＧ−ＤＡＳＨ（Ｍｏｖｉｎｇ  Ｐｉｃｔｕｒｅ  Ｅｘｐｅｒｔｓ  Ｇｒｏｕｐ  −  Ｄｙｎａｍｉｃ  Ａｄａｐｔｉｖｅ  Ｓｔｒｅａｍｉｎｇ  ｏｖｅｒ  ＨＴＴＰ）規格のＭＰＤ（Ｍｅｄｉａ  Ｐｒｅｓｅｎｔａｔｉｏｎ  Ｄｅｓｃｒｉｐｔｉｏｎ）の形式で取得される、
ことを特徴とする請求項１１に記載の表示制御装置。
【請求項１３】
複数のカメラによって複数の映像が撮像される場合に、当該複数のカメラによって撮像される映像を見る際の視界を指定する情報を前記他の装置に通知する通知手段をさらに有し、
前記取得情報には、前記複数の映像のうち、前記視界を指定する情報に基づいて特定された映像として前記２つ以上の映像が含まれる、
ことを特徴とする請求項１１又は１２に記載の表示制御装置。
【請求項１４】
前記生成手段は、前記２つ以上の映像を連結した映像における前記重複領域に対応する領域の画素値の特定に当該２つ以上の映像のうちのいずれの画素値が優先して用いられるべきかを示す優先度の情報であって、優先して用いるべきであるほど高い値を示す優先度の情報に基づいて、前記２つ以上の映像を連結した映像を生成する、
ことを特徴とする請求項１１から１３のいずれか１項に記載の表示制御装置。
【請求項１５】
前記生成手段は、前記２つ以上の映像を連結した映像における前記重複領域に対応する領域の画素値として前記２つ以上の映像のうちの前記優先度の高い１つの映像の前記重複領域における画素値を用い、前記２つ以上の映像のうちの前記優先度の低い他の映像の前記重複領域における画素値を用いない、
ことを特徴とする請求項１４に記載の表示制御装置。
【請求項１６】
前記生成手段は、前記２つ以上の映像を連結した映像における前記重複領域に対応する領域の画素値として、前記優先度に応じた加重値を用いた前記２つ以上の映像の前記重複領域における画素値の加重平均値を用いる、
ことを特徴とする請求項１４に記載の表示制御装置。
【請求項１７】
前記重複領域情報には、前記優先度の情報が含まれる、
ことを特徴とする請求項１４から１６のいずれか１項に記載の表示制御装置。
【請求項１８】
前記優先度は、
符号量が大きい映像ほど、又は、
映像内のオブジェクトの動きが大きい映像ほど、又は、
より多くの他の映像との間で重複領域を有するほど、又は、
前記他の装置においてデータの取得又は復号が早く完了する映像ほど、又は、
連結した映像における中心に近い映像ほど、
高く設定される、
ことを特徴とする請求項１４から１７のいずれか１項に記載の表示制御装置。
【請求項１９】
情報処理装置の制御方法であって、
互いに重複する重複領域を含んだ２つ以上の映像について、前記重複領域を示す重複領域情報を生成する工程と、
前記２つ以上の映像を連結した映像を生成する他の装置に対して、前記２つ以上の映像のそれぞれを取得するための取得情報と前記重複領域情報とが記述された情報を送信する工程と、
を有することを特徴とする制御方法。
【請求項２０】
表示制御装置の制御方法であって、
互いに重複する重複領域を含んだ２つ以上の映像について、前記２つ以上の映像のそれぞれを取得するための取得情報と前記重複領域を示す重複領域情報とが記述された情報を他の装置から取得する工程と、
前記取得情報に基づいて取得された前記２つ以上の映像と前記重複領域情報とに基づいて、前記２つ以上の映像を連結した映像を生成する工程と、
前記生成された映像を表示手段に表示させる制御を行う工程と、
を有することを特徴とする制御方法。
【請求項２１】
コンピュータを、請求項１から１０のいずれか１項に記載の情報処理装置、又は請求項１１から１８のいずれか１項に記載の表示制御装置の各手段として機能させるためのプログラム。
【手続補正２】
【補正対象書類名】明細書
【補正対象項目名】０００６
【補正方法】変更
【補正の内容】
【０００６】
上記目的を達成するため、本発明の一態様に係る情報処理装置は、互いに重複する重複領域を含んだ２つ以上の映像について、前記重複領域を示す重複領域情報を生成する生成手段と、前記２つ以上の映像を連結した映像を生成する他の装置に対して、前記２つ以上の映像のそれぞれを取得するための取得情報と前記重複領域情報とが記述された情報を送信する送信手段と、を有する。